(57)【特許請求の範囲】
【請求項１】
垂直に起立するスタッドと両側縦桟が連結され、下端は床レールに配置したアジャスター上に巾木を介して適当な高さに支持され、上端は天井に固定されている天井レールと係合して配置されているブラインドを内蔵したガラスパネルにおいて、ガラス板の側端が嵌る縦桟の空間にはウオームとギアで構成されるギア装置を設け、該ギアは上記ブラインドが巻付く巻取り軸に取付けられ、又ギアと噛合っているウオーム軸を延ばすと共に縦桟の表面に突出してプーリを取付けし、そして該プーリにはリング状の操作紐を巻き掛けしてプーリを被覆する為のカバーを取付け、該カバーの下側には操作紐が挿通する開口を形成し、さらにプーリに巻き掛けした操作紐の揺れを防止する為のガイド部材を上記カバーの下方に取付けたことを特徴とするブラインド内蔵のガラスパネル。
【発明の詳細な説明】
【０００１】
【発明の属する技術分野】
本発明は操作性が良くて外観を損わないようにした、ブラインド内蔵のガラスパネルに関するものである。
【０００２】
【従来の技術】
部屋の窓にはブラインドが吊設されて、外からの直射日光を遮り、又外部からの人目を遮ることが出来る。勿論、布製のカーテンであっても同じように光を遮ることが出来るが、入射する光の量を調整することは出来ない為に、オフィスなどでは一般にブラインドが使用されている。そして、このブラインドは単に部屋の窓際に限らず、ガラス間仕切りに内蔵することも出来る。即ち、近年は建物の大きな空間を間仕切りによって適度な大きさに仕切る場合が殆どであり、この間仕切りの一部にガラスパネルを据え付けることがあり、しかし透明なガラスパネルを時として遮ることが必要となる。
【０００３】
ところで、ガラスパネルに内蔵している従来のブラインドは、窓際に吊り下げているブラインドと同じ構造であり、これをガラスパネル内に収容しただけである。しかしブラインドを操作する為の紐を内部(両ガラス板間)に収容することは出来ず、この紐だけが外に導き出されてガラスパネルの表面に垂れ下がった状態となり、これが間仕切りの外観を損っている。即ち、ブラインドがガラスパネルの際に吊り下げられている場合であれば、操作紐が一緒に下がっていても、それ程違和感を持たないが、ブラインドがガラスパネル内に収容されている為に、操作紐だけが外に存在することは間仕切りとしての外観が良くない。
【０００４】
【発明が解決しようとする課題】
このようにブラインド内蔵のガラスパネルには上記のごとき問題がある。本発明が解決しようとする課題はこの問題点であり、ガラスパネルの外に吊設した操作紐が外観を損わないようにしたブラインド内蔵のガラスパネルを提供する。
【０００５】
【課題を解決する為の手段】
本発明のブラインド内蔵ガラスパネルは枠体の両面側にそれぞれガラス板を嵌め、両ガラス板の間は所定の空間が形成されている。上記ブラインドはこの両ガラス板の空間に収容され、透明なガラスパネルを必要に応じて遮ることが出来る構造となっている。両ガラス板間の空間にブラインドを内蔵した構造は従来から存在しているものと共通し、本発明ではこのブラインドの操作方法に特徴がある。
【０００６】
ガラスパネルの縦桟にはプーリーが表面から突出して設けられ、該プーリーは回転することが出来るように軸支されている。そしてこのプーリーには操作紐が巻き付いて吊下げられ、操作紐を引くならば上記プーリーは回転することが出来る。そしてプーリーの軸にはウオームが連結し、該ウオームはブラインドの巻取り軸から延びる軸に取着しているギアと噛み合っている。
【０００７】
したがって、操作紐を引くことでプーリー及びウオームが回ってギアを回転し、そしてブラインドを昇降動することが出来る。勿論、ブラインド羽根の傾斜角調整も従来通り操作紐によって行われる。このように、本発明では操作紐がガラスパネルを遮らないように縦桟に面して吊設され、しかもプーリーにはカバーが取付けられ、操作紐の揺れを防止する為のガイド部材をカバーに下方に取付けている。以下、本発明に係る実施例を図面に基づいて詳細に説明する。
【０００８】
【実施例】
図１(ａ)、(ｂ)は本発明のブラインド内蔵ガラスパネルを示している概略図である。同図の１はガラス板、２は縦桟、３は上桟、４は下桟、５はブラインドをそれぞれ示している。上桟３内には巻き取り軸６が取着され、ブラインド５を吊り下げている紐がこの巻き取り軸６に巻き付くことが出来る。そして上記縦桟２の表面にはプーリー７が突出して設けられている。ブラインド５はこのプーリー７を回転することで昇降動することが出来、該プーリー７には操作紐８が巻付いて吊下げられている。
【０００９】
図２はブラインドを内蔵したガラスパネルの横断面と縦断面であり、ガラス板１，１の側端は縦桟２に設けている溝にガスケットを介して嵌り、同じくガラス板１，１の上下端は上桟３及び下桟４に形成している溝にガスケットを介して嵌っている。そして２枚のガラス板１，１は所定の間隔をおいて平行に取付けられ、間には空間９が形成されている。
【００１０】
ガラスパネルは間仕切りを構成する為に、その両側端は垂直に起立するスタット１０と連結し、ガラスパネルの縦桟２の外側に有している開口にスタッド１０が嵌った状態でスタッド１０にネジ止めされている。そしてガラスパネルの下端は、床レール１１に配置したアジャスター１２上に巾木１３を介して適当な高さに支持され、又上端は天井に固定されている天井レール１４と係合している。
【００１１】
ここで、本発明はガラスパネルの具体的な構造、例えば縦桟２、上下桟３，４の形状、又ガラス板１，１とこれら縦桟２、上下桟３，４との関係は特に限定しないことにする。本発明ではブラインド５を昇降動する為に操作紐８を巻き掛けたプーリー７が縦桟２の表面に取付けられ、そしてこのプーリー７の回転をブラインド５の巻き取り軸６へ伝えるギア装置１５は縦桟２の空間１６に設けられている。
【００１２】
図３(ａ)、(ｂ)はブラインド５の昇降装置を示している具体例である。縦桟２の空間１６に取着しているギア装置１５から延びる軸１７が縦桟表面に突出し、この突出した軸１７にはプーリー７が取付けられている。そして該プーリー７には操作紐８が巻き掛けられ、該操作紐８を引くことでプーリー７は回転し、ギア装置１５を介してブラインド５を巻付ける巻取り軸６が回転する。操作紐８を巻き掛けているプーリー７の形態は特に限定しないが、操作紐８を引くことで該プーリー７がスリップすることなく回転出来るように成っている。
【００１３】
ここでギア装置１５とはウオームとギアを噛み合せて構成したものであり、プーリー７を取着している軸１７にはウオームを有し、巻取り軸６にはギアを取付け、プーリー７と共にウオームが回ることでギア及び巻取り軸６が回転することが出来る。軸１７にウオームを有している為に、巻取り軸６に吊下げているブラインド５の重量が作用して該巻取り軸６に回転トルクが作用しても、プーリー７が回転することはない。
【００１４】
そして図４は縦桟上部の正面図を示しているが、該縦桟２の表面にプーリー７が存在することで外観が損われることもある。そこで、該プーリー７を被覆する為のカバー１８を縦桟２に取付けている。カバー１８の下側には開口を形成し、プーリー７に巻き掛けている操作紐８が挿通している。又、該カバー１８の下側にはリング１９ａ，１９ｂを備えたガイド部材２０を取着し、両リング１９ａ，１９ｂ内には操作紐８が入り、該操作紐８の揺れを抑制する。
【００１５】
以上述べたように、本発明のブラインドを内蔵したガラスパネルは縦桟の空間にギア装置を設けると共に、ギア装置から延びる軸を縦桟表面に突出してプーリーを取付け、該プーリーには操作紐を巻き掛けたものであり、次のような効果を得ることが出来る。
【００１６】
【発明の効果】
本発明のブラインドを内蔵したガラスパネルは、該ブラインドの昇降動並びに羽根の傾き調整を操作紐を引くことで行うことが出来る。その為に、縦桟の空間にギア装置を設けると共に、ギア装置から延びる軸を縦桟表面に突出してプーリーを取付け、該プーリーには操作紐を巻き掛けて構成している。
【００１７】
そして上記プーリー及び操作紐は縦桟に面して設けられ、その為に間仕切りの外観が損われることはなく、ブラインドを内蔵しないガラスパネルの場合と外観上の差異はない。さらに縦桟表面に設けたプーリーを被覆す為のカバーを有し、一方、該カバーの下側にはプーリーに巻き掛けた操作紐の揺れを抑制する為のガイド部材を備えている。
【図面の簡単な説明】
【図１】本発明のブラインドを内蔵したガラスパネルの概略図。
【図２】ブラインド内蔵のガラスパネルの断面図。
【図３】ブラインドを昇降する為の昇降装置。
【図４】プーリーを被覆す為のカバーを取付けた縦桟の正面図。
【符号の説明】
１  ガラス板
２  縦桟
３  上桟
４  下桟
５  ブラインド
６  巻き取り軸
７  プーリー
８  操作紐
９  空間
10  スタッド
11  床レール
12  アジャスター
13  巾木
14  天井レール
15  ギア装置
16  空間
17  軸
18  カバー
19  リング
20  ガイド部材
【図１】
0003728559.tif 000002
【図２】
0003728559.tif 000003
【図３】
0003728559.tif 000004
【図４】
0003728559.tif 000005